(57)【要約】【課題】  操作性に優れたワイヤレス式装着型ポインティングデバイス装置の提供。【解決手段】  ポインティングデバイス装置を手掌に把持しやすい形とし、ベルトなどの長さ調節機能付き固定具１４で手指基節部に固定する。これにより把持状態でポインティング操作を行い、また、ポインティングデバイス装置を手から離すことなくキーボード操作に移行可能となる。該ポインティングデバイス装置は、ポインタの移動を行わせるためにＸ，Ｙ２次元座標成分の信号を発生させる多方向スイッチ機能とマウスの左クリックに相当する押しボタン機能を兼ね備えたスティック１２とマウスの右クリックに相当する押しボタン１３と、それらの信号を無線でコンピュータ本体などに送信する送信装置と電源装置を具備する。その結果、親指、薬指にてポインタの移動、クリック操作、ドラグ・ドロップ操作などが可能となる。【選択図】図１
2010097578.tif 000002
【特許請求の範囲】
【請求項１】
コンピュータ等を操作するポインティングデバイス装置であって、Ｘ，Ｙ２次元座標成分の信号を発生させる多方向スイッチと押しボタンを備え、前記スイッチ類から出力された信号を前記コンピュータ等に送るインターフェイスを有する装着型ポインティングデバイス装置。
【請求項２】
手掌に装着することにより装着した手においてもキーボード操作に支障をきたさないことを特徴とする請求項１記載のポインティングデバイス装置。
【請求項３】
長さを調節できる固定具を備えることにより多数の人の手掌への装着を可能とする請求項１又は２記載のポインティングデバイス装置。
【請求項４】
押しボタン機能をもつ多方向スイッチを具備することにより他の押しボタンは最低１個でマウスと同等の操作を可能にする請求項１記載のポインティングデバイス装置。
【請求項５】
前記インターフェイスがワイヤレスＵＳＢまたはブルートゥースの規格に適合するワイヤレス通信機能を有する請求項１記載のポインティングデバイス装置。
【発明の詳細な説明】
【技術分野】
【０００１】  本発明は、ワイヤレス式手掌装着型ポインティングデバイス装置に関する。
【背景技術】
【０００２】  机の上だけで使用するとは限らないモバイルコンピュータの発達により、机上でマウスを使えない環境であってもポインティング操作を可能にする装置の開発が進められている。ノート型パソコンの画面に表示されるポインタの移動に使用されるポインティングデバイス装置としては、タッチパッド、ポインティングスティックやトラックボールがある。【０００３】  また、人体に装着することができるポインティングデバイス装置としては、人差し指装着型ポインティングデバイス装置（特許文献１参照。）、ワイヤレス空中マウス（特許文献２参照。）や手袋形入力装置（特許文献３参照。）等が発表されている。
【特許文献１】特開平１０−３０１７０６号公報
【特許文献２】特開２００２−１３２４４０号公報
【特許文献３】特開２００８−２０３９１１号公報
【発明の開示】
【発明が解決しようとする課題】
【０００４】  本発明は、机上のスペースを必要とせず、操作性に優れ、キーボード操作への移行も容易なポインティングデバイス装置を提供することを課題とする。
【課題を解決するための手段】
【０００５】  上記課題を解決するために、第一発明は、Ｘ，Ｙ２次元座標成分の信号を発生させる多方向スイッチと押しボタンを有し、前記スイッチ類の信号をコンピュータ等に送るインターフェイスを備えた身体に装着することを特徴とするポインティングデバイス装置である。【０００６】  第二発明は、手掌の第２指から第５指の基節部にポインティングデバイス装置を装着することを特徴とする。この第二発明による作用は次の通りである。【０００７】  多方向スイッチ、押しボタンとこれらのスイッチ類からの信号をコンピュータ等に送る信号に変換するインターフェイス等を備えるためにはある程度の器機の容積が必要になる。キーボード操作時には、手は上方に凸をなすドーム状を形成しており、手掌にはある程度の自由空間が存在する。この空間をポインティングデバイス装置の装着する部位に利用することにより該デバイス装着時においても装着した手のすべての指によるキーボード操作に影響を与えないことが可能となる。【０００８】  第三発明は、長さを調節することができる固定具を具備することにより多数の人の手掌に密着して装着することを可能とするポインティングデバイス装置である。【０００９】  第四発明は、押しボタン機能をもつ多方向スイッチ（例えば、前後左右揺動＋押圧操作スティック）（以下、スティックとする）を備えることによりポインティング操作とマウスの左クリック操作を親指１本で可能とし、筐体の側面に押しボタンを最低１個備えることで中指あるいは薬指によりマウスの右クリック操作を可能とするポインティングデバイス装置である。【００１０】  第五発明は、無線装置を備えることによりポインティングデバイス装置の装着が、キーボード操作に影響を与えることを軽減することが可能なポインティングデバイス装置である。
【発明の効果】
【００１１】  モバイルコンピューティング環境において、ポインティング操作において机上を必要とせずにマウスと同等の操作性を実現できる。また、プロジェクター等の機器の操作にも利用が可能である。
【発明を実施するための最良の形態】
【００１２】  この発明の一実施形態を、図１（ａ）（ｂ）に示す。ポインティングデバイス筐体１０は、操作時に手掌全体で把握することが容易なような形に成型し、特に親指と人差し指の間の部分でしっかり把持固定できるようにスティック基部にくぼみ１１を設けてある。筐体１０の両端を基点として長さの調節できる固定具１４を備えることにより第２指から第５指の手指基節部に密着して固定される（図１（ｃ）、図２）。把握した時に親指の位置する部位にスティック１２が筐体に組み込まれ、薬指の位置する部位に押しボタン１３が組み込まれている。【００１３】  この実施形態によれば、親指によりポインティング操作とマウスの左クリックに相当するクリック操作が可能となり、薬指によりマウスの右クリックに相当するクリック操作が可能となる。操作の組み合わせにより、ドラグ・ドロップ操作も可能となる。【００１４】  発明の他の実施例を説明する。本実施例では、右手での操作を前提に形状を考案したが、本実施例と左右鏡像の形態を実施例とすることで左手での操作も実現可能である。【００１５】  さらに、本実施例では、マウスと同等の操作能を目的として押しボタンを筐体把持時の薬指が接する部に１個配したが、中指が接する部にさらに押しボタンを付加することも可能である。そして、２個の押しボタンを配することにより、そのうちの１個にスティックの機能を切り替える機能を持たせれば、スティックで画面のスクロール操作を行うことも可能となる。【００１６】  また、最良の形態として、コンピュータ等への信号の送信をワイヤレスとしたが、コンピュータへの接続に限定し、キーボード操作の障害になりにくいように柔軟なコードを用いることにより、ＵＳＢへの有線による接続も可能であり、その場合、筐体内に電源装置を備える必要がなくなり、安価にまた小型化もより容易となる。
【図面の簡単な説明】
【００１７】
【図１】（ａ）本発明の一実施例における装着型ポインティングデバイス装置の側面図、（ｂ）該ポインティングデバイス装置の上面図、（ｃ）該ポインティングデバイス装置の右手装着時の手掌側からの模式図。
【図２】（ａ）該ポインティングデバイス装置の右手装着時のスティク１２側からの模式図、（ｂ）該ポインティングデバイス装置の右手装着時の手背側からの模式図。
【図３】本発明の一実施例における装着型ポインティングデバイス装置のブロック構成図。
【符号の説明】
【００１８】    １０  筐体
１１  第一指間用くぼみ
１２  スティック
１３  押しボタン
１４  長さ調節機能付固定具
【図１】
2010097578.tif 000003
【図２】
2010097578.tif 000004
【図３】
2010097578.tif 000005